(57)【特許請求の範囲】
【請求項１】
液晶ディスプレイに表示された入力画像の輝度むらを補正する画像補正装置であって、
均一な階調の画像データからなるグレーのフラットパターンの画像を生成するフラットパターン生成部と、
前記液晶ディスプレイのパネルの輝度特性を反転させた反転輝度特性の画像データからなるヴィネッティングパターンの画像を生成するヴィネッティングパターン生成部と、
前記フラットパターンの画像と前記ヴィネッティングパターンの画像とが合成されたパターン画像を前記液晶ディスプレイに表示させるように制御する表示制御部と、
前記液晶ディスプレイに表示されたパターン画像をカメラにより撮影して生成された撮影画像の画像データの輝度値に基づいて、前記画像補正装置の外部にある補正データ算出部により算出された、前記入力画像の輝度むらを補正するための補正データを格納する補正データ格納部と、
前記補正データ格納部に格納された、前記入力画像の輝度むらを補正するための補正データを用いて、前記入力画像の輝度むらを補正する画像補正部とを備えることを特徴とする画像補正装置。
【請求項２】
前記ヴィネッティングパターンの画像は、前記液晶ディスプレイのパネルの画素に対応する画像データが１画素毎に設定されたものである請求項１に記載の画像補正装置。
【請求項３】
前記ヴィネッティングパターンの画像は、前記液晶ディスプレイのパネルの画素に対応する画像データが一定の画素毎に設定され、前記一定の画素毎の画像データの間の画像データが補間されて算出されたものである請求項１に記載の画像補正装置。
【請求項４】
前記ヴィネッティングパターンの画像は、前記液晶ディスプレイのパネルの１ライン分の画素の画像データを、前記液晶ディスプレイのパネルの全てのラインについて使用したものである請求項１に記載の画像補正装置。
【請求項５】
前記ヴィネッティングパターンの画像は、前記液晶ディスプレイのパネルの１カラム分の画素の画像データを、前記液晶ディスプレイのパネルの全てのカラムについて使用したものである請求項１に記載の画像補正装置。
【請求項６】
前記ヴィネッティングパターンの画像は、前記ヴィネッティングパターンの画像の反転輝度特性のグラフで表される関数を近似する近似式により算出されるものである請求項１に記載の画像補正装置。
【請求項７】
前記フラットパターン生成部は、前記入力画像の画像データの一定範囲の階調毎に対応するフラットパターンの画像を生成するものであり、
前記ヴィネッティングパターン生成部は、前記入力画像の画像データの一定範囲の階調毎に対応するヴィネッティングパターンの画像を生成するものであり、
前記表示制御部は、前記一定範囲の階調毎に対応するパターン画像を前記液晶ディスプレイに順次表示させるものであり、
前記補正データ格納部は、前記液晶ディスプレイに表示された一定範囲の階調毎に対応するパターン画像をカメラにより順次撮影して生成された撮影画像の画像データの輝度値に基づいて、前記補正データ算出部により算出された、前記一定範囲の階調毎に対応する補正データを格納するものであり、
前記画像補正部は、前記補正データ格納部に格納された、前記入力画像の画像データの階調に対応する補正データを用いて、前記入力画像の輝度むらを補正するものである請求項１〜６のいずれか１項に記載の画像補正装置。
【請求項８】
前記パターン画像を前記液晶ディスプレイに表示させる場合、
前記補正データ格納部は、前記補正データ算出部により算出された、前記画像補正部からパターン画像をそのまま出力させるための補正データを格納するものであり、
前記画像補正装置が備える選択部から、前記パターン画像が前記画像補正部に入力され、
前記画像補正部は、前記補正データ格納部に格納された、前記パターン画像をそのまま出力させるための補正データを用いて、前記選択部から入力されるパターン画像をそのまま出力するものであり、
前記表示制御部は、前記画像補正部からそのまま出力されるパターン画像を前記液晶ディスプレイに表示させるように制御するものであり、
前記入力画像を前記液晶ディスプレイに表示させる場合、
前記補正データ格納部は、前記入力画像の輝度むらを補正するための補正データを格納するものであり、
前記選択部から、前記入力画像が前記画像補正部に入力され、
前記画像補正部は、前記補正データ格納部に格納された、前記入力画像の輝度むらを補正するための補正データを用いて、前記選択部から入力される入力画像を補正するものであり、
前記表示制御部は、前記画像補正部により輝度むらが補正された入力画像を前記液晶ディスプレイに表示させるように制御するものである請求項１〜７のいずれか１項に記載の画像補正装置。
【請求項９】
前記パターン画像を前記液晶ディスプレイに表示させる場合、
前記補正データ格納部は、前記補正データ算出部により算出された、前記画像補正部から前記フラットパターンの画像をそのまま出力させるための補正データを格納するものであり、
前記画像補正装置が備える選択部から、前記フラットパターンの画像が前記画像補正部に入力され、
前記画像補正部は、前記補正データ格納部に格納された、前記フラットパターンの画像をそのまま出力させるための補正データを用いて、前記選択部から入力されるフラットパターンの画像をそのまま出力するものであり、
前記表示制御部は、前記画像補正部からそのまま出力されるフラットパターンの画像と、前記ヴィネッティングパターンの画像とが合成されたパターン画像を前記液晶ディスプレイに表示させるように制御するものであり、
前記入力画像を前記液晶ディスプレイに表示させる場合、
前記補正データ格納部は、前記入力画像の輝度むらを補正するための補正データを格納するものであり、
前記選択部から、前記入力画像が前記画像補正部に入力され、
前記画像補正部は、前記補正データ格納部に格納された、前記入力画像の輝度むらを補正するための補正データを用いて、前記選択部から入力される入力画像を補正するものであり、
前記表示制御部は、前記画像補正部により輝度むらが補正された入力画像を前記液晶ディスプレイに表示させるように制御するものである請求項１〜７のいずれか１項に記載の画像補正装置。
【請求項１０】
前記パターン画像を前記液晶ディスプレイに表示させる場合、
前記ヴィネッティングパターンの画像の画像データが前記画像補正部に入力され、
前記画像補正装置が備える選択部から、前記フラットパターンの画像が前記画像補正部に入力され、
前記画像補正部は、前記ヴィネッティングパターンの画像の画像データを用いて、前記選択部から入力されるフラットパターンの画像と前記ヴィネッティングパターンの画像とが合成されたパターン画像を生成するものであり、
前記表示制御部は、前記画像補正部により生成されたパターン画像を前記液晶ディスプレイに表示させるように制御するものであり、
前記入力画像を前記液晶ディスプレイに表示させる場合、
前記補正データ格納部は、前記入力画像の輝度むらを補正するための補正データを格納するものであり、
前記選択部から、前記入力画像が前記画像補正部に入力され、
前記画像補正部は、前記補正データ格納部に格納された、前記入力画像の輝度むらを補正するための補正データを用いて、前記選択部から入力される入力画像を補正するものであり、
前記表示制御部は、前記画像補正部により輝度むらが補正された入力画像を前記液晶ディスプレイに表示させるように制御するものである請求項１〜７のいずれか１項に記載の画像補正装置。
【請求項１１】
前記パターン画像を前記液晶ディスプレイに表示させる場合、
前記画像補正装置の外部から入力されるヴィネッティングパターンの画像の画像データが前記画像補正部に入力され、
前記画像補正装置が備える選択部から、前記フラットパターンの画像が前記画像補正部に入力され、
前記画像補正部は、前記画像補正装置の外部から入力されるヴィネッティングパターンの画像の画像データを用いて、前記選択部から入力されるフラットパターンの画像と前記ヴィネッティングパターンの画像とが合成されたパターン画像を生成するものであり、
前記表示制御部は、前記画像補正部により生成されたパターン画像を前記液晶ディスプレイに表示させるように制御するものであり、
前記入力画像を前記液晶ディスプレイに表示させる場合、
前記補正データ格納部は、前記入力画像の輝度むらを補正するための補正データを格納するものであり、
前記選択部から、前記入力画像が前記画像補正部に入力され、
前記画像補正部は、前記補正データ格納部に格納された、前記入力画像の輝度むらを補正するための補正データを用いて、前記選択部から入力される入力画像を補正するものであり、
前記表示制御部は、前記画像補正部により輝度むらが補正された入力画像を前記液晶ディスプレイに表示させるように制御するものである請求項１〜７のいずれか１項に記載の画像補正装置。
【請求項１２】
前記パターン画像を前記液晶ディスプレイに表示させる場合、
前記画像補正装置の外部にあるデータ複製部により、前記画像補正装置の外部から入力されるヴィネッティングパターンの画像の１ラインまたは１カラムの画素に対応する画像データが、全てのラインまたは全てのカラムにコピーされたヴィネッティングパターンの画像の画像データが前記画像補正部に入力され、
前記画像補正装置が備える選択部から、前記フラットパターンの画像が前記画像補正部に入力され、
前記画像補正部は、前記データ複製部によりコピーされたヴィネッティングパターンの画像の画像データを用いて、前記選択部から入力されるフラットパターンの画像と前記データ複製部によりコピーされたヴィネッティングパターンの画像とが合成されたパターン画像を生成するものであり、
前記表示制御部は、前記画像補正部により生成されたパターン画像を前記液晶ディスプレイに表示させるように制御するものであり、
前記入力画像を前記液晶ディスプレイに表示させる場合、
前記補正データ格納部は、前記入力画像の輝度むらを補正するための補正データを格納するものであり、
前記選択部から、前記入力画像が前記画像補正部に入力され、
前記画像補正部は、前記補正データ格納部に格納された、前記入力画像の輝度むらを補正するための補正データを用いて、前記選択部から入力される入力画像を補正するものであり、
前記表示制御部は、前記画像補正部により輝度むらが補正された入力画像を前記液晶ディスプレイに表示させるように制御するものである請求項１〜７のいずれか１項に記載の画像補正装置。
【請求項１３】
液晶ディスプレイに表示された入力画像の輝度むらを補正するための補正データを生成し、前記補正データを用いて、前記入力画像の輝度むらを補正する画像補正システムであって、
請求項１〜１２のいずれか１項に記載の画像補正装置と、
前記液晶ディスプレイに表示されたパターン画像を撮影して撮影画像の画像データを生成するカメラと、
前記カメラにより生成された撮影画像の画像データの輝度値に基づいて、前記入力画像の輝度むらを補正するための補正データを算出する補正データ算出部と、
前記補正データを生成する場合に、前記画像補正装置の動作を制御する制御装置とを備えることを特徴とする画像補正システム。
【請求項１４】
液晶ディスプレイに表示された入力画像の輝度むらを補正するための補正データを生成する補正データ生成方法であって、
フラットパターン生成部が、均一な階調の画像データからなるグレーのフラットパターンの画像を生成するステップと、
ヴィネッティングパターン生成部が、前記液晶ディスプレイのパネルの輝度特性を反転させた反転輝度特性の画像データからなるヴィネッティングパターンの画像を生成するステップと、
表示制御部が、前記フラットパターンの画像と前記ヴィネッティングパターンの画像とが合成されたパターン画像を前記液晶ディスプレイに表示させるように制御するステップと、
カメラが、前記液晶ディスプレイに表示されたパターン画像を撮影して撮影画像の画像データを生成するステップと、
補正データ算出部が、前記カメラにより生成された撮影画像の画像データの輝度値に基づいて、前記入力画像の輝度むらを補正するための補正データを算出するステップとを含むことを特徴とする補正データ生成方法。
【請求項１５】
液晶ディスプレイに表示された入力画像の輝度むらを補正する画像補正方法であって、
フラットパターン生成部が、均一な階調の画像データからなるグレーのフラットパターンの画像を生成するステップと、
ヴィネッティングパターン生成部が、前記液晶ディスプレイのパネルの輝度特性を反転させた反転輝度特性の画像データからなるヴィネッティングパターンの画像を生成するステップと、
表示制御部が、前記フラットパターンの画像と前記ヴィネッティングパターンの画像とが合成されたパターン画像を前記液晶ディスプレイに表示させるように制御するステップと、
カメラが、前記液晶ディスプレイに表示されたパターン画像を撮影して撮影画像の画像データを生成するステップと、
補正データ算出部が、前記カメラにより生成された撮影画像の画像データの輝度値に基づいて、前記入力画像の輝度むらを補正するための補正データを算出するステップと、
補正データ格納部が、前記補正データ算出部により算出された補正データを格納するステップと、
画像補正部が、前記補正データ格納部に格納された補正データを用いて、前記入力画像の輝度むらを補正するステップとを含むことを特徴とする画像補正方法。
【発明の詳細な説明】
【技術分野】
【０００１】
本発明は、液晶ディスプレイに入力される入力画像の輝度むらを補正するための補正データを生成するための補正データ生成方法、補正データを用いて、入力画像の輝度むらを補正する画像補正装置および画像補正方法、ならびに、画像補正システムに関するものである。
【背景技術】
【０００２】
液晶ディスプレイは、均一な表示ではなく、輝度むらが発生する場合がある。輝度むらの発生は、表示品質の著しい劣化であるため、輝度むらを電気的に補正して均一な表示を得る手法が一般的に知られている。
【０００３】
例えば、特許文献１には、均一な階調の画像データからなる１画面分のグレーの画像を液晶ディスプレイに表示させてカメラで撮影し、カメラで撮影された撮影画像の輝度値に基づいて、輝度むらを低減するための補正データを生成して液晶ディスプレイ内のＲＯＭ（リードオンリーメモリ）に格納しておき、ＲＯＭに格納された補正データを用いて、入力画像の輝度むらを補正して液晶ディスプレイに表示させる画像補正回路等が記載されている。
【０００４】
また、本発明に関連性のある先行技術文献として、特許文献１の他に、特許文献２に記載の画質調整システム及び画質調整方法、特許文献３に記載の画像補正システム、特許文献４に記載の画像表示装置等がある。
【先行技術文献】
【特許文献】
【０００５】
【特許文献１】特開２０１０−５７１４９号公報
【特許文献２】特開２０１２−８５２２５号公報
【特許文献３】特開２００７−２７９４１７号公報
【特許文献４】特開２０１１−２４２６６５号公報
【発明の概要】
【発明が解決しようとする課題】
【０００６】
特許文献１に記載の画像補正回路等を、例えば、パネルの中央部の輝度値が低く、パネルの中央部から左右の部分に向かうに従って、輝度値が次第に大きくなる輝度特性を有する液晶ディスプレイに対して適用し、均一なグレー２５（８ビットで表現される０〜２５５までの階調のうちの２５）の画像データからなる１画面分の画像を液晶ディスプレイに表示させた場合を考える。
【０００７】
この場合、液晶ディスプレイのパネルの中央部のカメラでの検出値が１５２、左右の部分の補正前の検出値が、それぞれ、１９０および２４４であり、液晶ディスプレイに表示されたグレーの画像の輝度むらを低減するための左右の部分の補正後の目標値が、それぞれ、１２２および１３４であるとすると、その補正量は、それぞれ、６８および１１０となり、非常に大きな補正量となることが分かる。
【０００８】
このように、特に、グレー２５などの暗い画像データからなるグレーの画像を用いて補正データを生成すると、輝度むらを低減するための補正量が大きくなる。補正量が大きくなると、１回の画像撮影で十分な補正精度が得られず、画像撮影を２回または３回繰り返し行うことによって補正データの生成を収束させる必要が生じる。しかし、画像撮影を繰り返し行うと、タクトタイムが長くなり、生産効率が低下するという問題がある。
【０００９】
本発明の目的は、前記従来技術の問題点を解消し、従来よりも短時間で補正データの生成を行って、画像の輝度むらを補正することができる補正データ生成方法、画像補正装置および画像補正方法、ならびに、画像補正システムを提供することにある。
【課題を解決するための手段】
【００１０】
上記目的を達成するために、本発明は、液晶ディスプレイに表示された入力画像の輝度むらを補正する画像補正装置であって、
均一な階調の画像データからなるグレーのフラットパターンの画像を生成するフラットパターン生成部と、
前記液晶ディスプレイのパネルの輝度特性を反転させた反転輝度特性の画像データからなるヴィネッティングパターンの画像を生成するヴィネッティングパターン生成部と、
前記フラットパターンの画像と前記ヴィネッティングパターンの画像とが合成されたパターン画像を前記液晶ディスプレイに表示させるように制御する表示制御部と、
前記液晶ディスプレイに表示されたパターン画像をカメラにより撮影して生成された撮影画像の画像データの輝度値に基づいて、前記画像補正装置の外部にある補正データ算出部により算出された、前記入力画像の輝度むらを補正するための補正データを格納する補正データ格納部と、
前記補正データ格納部に格納された、前記入力画像の輝度むらを補正するための補正データを用いて、前記入力画像の輝度むらを補正する画像補正部とを備えることを特徴とする画像補正装置を提供するものである。
【００１２】
また、前記ヴィネッティングパターンの画像は、前記液晶ディスプレイのパネルの画素に対応する画像データが１画素毎に設定されたものであることが好ましい。
【００１３】
また、前記ヴィネッティングパターンの画像は、前記液晶ディスプレイのパネルの画素に対応する画像データが一定の画素毎に設定され、前記一定の画素毎の画像データの間の画像データが補間されて算出されたものであることが好ましい。
【００１４】
また、前記ヴィネッティングパターンの画像は、前記液晶ディスプレイのパネルの１ライン分の画素の画像データを、前記液晶ディスプレイのパネルの全てのラインについて使用したものであることが好ましい。
【００１５】
また、前記ヴィネッティングパターンの画像は、前記液晶ディスプレイのパネルの１カラム分の画素の画像データを、前記液晶ディスプレイのパネルの全てのカラムについて使用したものであることが好ましい。
【００１６】
また、前記ヴィネッティングパターンの画像は、前記ヴィネッティングパターンの画像の反転輝度特性のグラフで表される関数を近似する近似式により算出されるものであることが好ましい。
【００１８】
ここで、前記フラットパターン生成部は、前記入力画像の画像データの一定範囲の階調毎に対応するフラットパターンの画像を生成するものであり、
前記ヴィネッティングパターン生成部は、前記入力画像の画像データの一定範囲の階調毎に対応するヴィネッティングパターンの画像を生成するものであり、
前記表示制御部は、前記一定範囲の階調毎に対応するパターン画像を前記液晶ディスプレイに順次表示させるものであり、
前記補正データ格納部は、前記液晶ディスプレイに表示された一定範囲の階調毎に対応するパターン画像をカメラにより順次撮影して生成された撮影画像の画像データの輝度値に基づいて、前記補正データ算出部により算出された、前記一定範囲の階調毎に対応する補正データを格納するものであり、
前記画像補正部は、前記補正データ格納部に格納された、前記入力画像の画像データの階調に対応する補正データを用いて、前記入力画像の輝度むらを補正するものであることが好ましい。
【００２０】
また、前記パターン画像を前記液晶ディスプレイに表示させる場合、
前記補正データ格納部は、前記補正データ算出部により算出された、前記画像補正部からパターン画像をそのまま出力させるための補正データを格納するものであり、
前記画像補正装置が備える選択部から、前記パターン画像が前記画像補正部に入力され、
前記画像補正部は、前記補正データ格納部に格納された、前記パターン画像をそのまま出力させるための補正データを用いて、前記選択部から入力されるパターン画像をそのまま出力するものであり、
前記表示制御部は、前記画像補正部からそのまま出力されるパターン画像を前記液晶ディスプレイに表示させるように制御するものであり、
前記入力画像を前記液晶ディスプレイに表示させる場合、
前記補正データ格納部は、前記入力画像の輝度むらを補正するための補正データを格納するものであり、
前記選択部から、前記入力画像が前記画像補正部に入力され、
前記画像補正部は、前記補正データ格納部に格納された、前記入力画像の輝度むらを補正するための補正データを用いて、前記選択部から入力される入力画像を補正するものであり、
前記表示制御部は、前記画像補正部により輝度むらが補正された入力画像を前記液晶ディスプレイに表示させるように制御するものであることが好ましい。
【００２１】
また、前記パターン画像を前記液晶ディスプレイに表示させる場合、
前記補正データ格納部は、前記補正データ算出部により算出された、前記画像補正部から前記フラットパターンの画像をそのまま出力させるための補正データを格納するものであり、
前記画像補正装置が備える選択部から、前記フラットパターンの画像が前記画像補正部に入力され、
前記画像補正部は、前記補正データ格納部に格納された、前記フラットパターンの画像をそのまま出力させるための補正データを用いて、前記選択部から入力されるフラットパターンの画像をそのまま出力するものであり、
前記表示制御部は、前記画像補正部からそのまま出力されるフラットパターンの画像と、前記ヴィネッティングパターンの画像とが合成されたパターン画像を前記液晶ディスプレイに表示させるように制御するものであり、
前記入力画像を前記液晶ディスプレイに表示させる場合、
前記補正データ格納部は、前記入力画像の輝度むらを補正するための補正データを格納するものであり、
前記選択部から、前記入力画像が前記画像補正部に入力され、
前記画像補正部は、前記補正データ格納部に格納された、前記入力画像の輝度むらを補正するための補正データを用いて、前記選択部から入力される入力画像を補正するものであり、
前記表示制御部は、前記画像補正部により輝度むらが補正された入力画像を前記液晶ディスプレイに表示させるように制御するものであることが好ましい。
【００２２】
また、前記パターン画像を前記液晶ディスプレイに表示させる場合、
前記ヴィネッティングパターンの画像の画像データが前記画像補正部に入力され、
前記画像補正装置が備える選択部から、前記フラットパターンの画像が前記画像補正部に入力され、
前記画像補正部は、前記ヴィネッティングパターンの画像の画像データを用いて、前記選択部から入力されるフラットパターンの画像と前記ヴィネッティングパターンの画像とが合成されたパターン画像を生成するものであり、
前記表示制御部は、前記画像補正部により生成されたパターン画像を前記液晶ディスプレイに表示させるように制御するものであり、
前記入力画像を前記液晶ディスプレイに表示させる場合、
前記補正データ格納部は、前記入力画像の輝度むらを補正するための補正データを格納するものであり、
前記選択部から、前記入力画像が前記画像補正部に入力され、
前記画像補正部は、前記補正データ格納部に格納された、前記入力画像の輝度むらを補正するための補正データを用いて、前記選択部から入力される入力画像を補正するものであり、
前記表示制御部は、前記画像補正部により輝度むらが補正された入力画像を前記液晶ディスプレイに表示させるように制御するものであることが好ましい。
【００２３】
また、前記パターン画像を前記液晶ディスプレイに表示させる場合、
前記画像補正装置の外部から入力されるヴィネッティングパターンの画像の画像データが前記画像補正部に入力され、
前記画像補正装置が備える選択部から、前記フラットパターンの画像が前記画像補正部に入力され、
前記画像補正部は、前記画像補正装置の外部から入力されるヴィネッティングパターンの画像の画像データを用いて、前記選択部から入力されるフラットパターンの画像と前記ヴィネッティングパターンの画像とが合成されたパターン画像を生成するものであり、
前記表示制御部は、前記画像補正部により生成されたパターン画像を前記液晶ディスプレイに表示させるように制御するものであり、
前記入力画像を前記液晶ディスプレイに表示させる場合、
前記補正データ格納部は、前記入力画像の輝度むらを補正するための補正データを格納するものであり、
前記選択部から、前記入力画像が前記画像補正部に入力され、
前記画像補正部は、前記補正データ格納部に格納された、前記入力画像の輝度むらを補正するための補正データを用いて、前記選択部から入力される入力画像を補正するものであり、
前記表示制御部は、前記画像補正部により輝度むらが補正された入力画像を前記液晶ディスプレイに表示させるように制御するものであることが好ましい。
【００２４】
また、前記パターン画像を前記液晶ディスプレイに表示させる場合、
前記画像補正装置の外部にあるデータ複製部により、前記画像補正装置の外部から入力されるヴィネッティングパターンの画像の１ラインまたは１カラムの画素に対応する画像データが、全てのラインまたは全てのカラムにコピーされたヴィネッティングパターンの画像の画像データが前記画像補正部に入力され、
前記画像補正装置が備える選択部から、前記フラットパターンの画像が前記画像補正部に入力され、
前記画像補正部は、前記データ複製部によりコピーされたヴィネッティングパターンの画像の画像データを用いて、前記選択部から入力されるフラットパターンの画像と前記データ複製部によりコピーされたヴィネッティングパターンの画像とが合成されたパターン画像を生成するものであり、
前記表示制御部は、前記画像補正部により生成されたパターン画像を前記液晶ディスプレイに表示させるように制御するものであり、
前記入力画像を前記液晶ディスプレイに表示させる場合、
前記補正データ格納部は、前記入力画像の輝度むらを補正するための補正データを格納するものであり、
前記選択部から、前記入力画像が前記画像補正部に入力され、
前記画像補正部は、前記補正データ格納部に格納された、前記入力画像の輝度むらを補正するための補正データを用いて、前記選択部から入力される入力画像を補正するものであり、
前記表示制御部は、前記画像補正部により輝度むらが補正された入力画像を前記液晶ディスプレイに表示させるように制御するものであることが好ましい。
【００２５】
また、本発明は、液晶ディスプレイに表示された入力画像の輝度むらを補正するための補正データを生成し、前記補正データを用いて、前記入力画像の輝度むらを補正する画像補正システムであって、
上記に記載の画像補正装置と、
前記液晶ディスプレイに表示されたパターン画像を撮影して撮影画像の画像データを生成するカメラと、
前記カメラにより生成された撮影画像の画像データの輝度値に基づいて、前記入力画像の輝度むらを補正するための補正データを算出する補正データ算出部と、
前記補正データを生成する場合に、前記画像補正装置の動作を制御する制御装置とを備えることを特徴とする画像補正システムを提供する。
【００２６】
また、本発明は、液晶ディスプレイに表示された入力画像の輝度むらを補正するための補正データを生成する補正データ生成方法であって、
フラットパターン生成部が、均一な階調の画像データからなるグレーのフラットパターンの画像を生成するステップと、
ヴィネッティングパターン生成部が、前記液晶ディスプレイのパネルの輝度特性を反転させた反転輝度特性の画像データからなるヴィネッティングパターンの画像を生成するステップと、
表示制御部が、前記フラットパターンの画像と前記ヴィネッティングパターンの画像とが合成されたパターン画像を前記液晶ディスプレイに表示させるように制御するステップと、
カメラが、前記液晶ディスプレイに表示されたパターン画像を撮影して撮影画像の画像データを生成するステップと、
補正データ算出部が、前記カメラにより生成された撮影画像の画像データの輝度値に基づいて、前記入力画像の輝度むらを補正するための補正データを算出するステップとを含むことを特徴とする補正データ生成方法を提供する。
【００２７】
また、本発明は、液晶ディスプレイに表示された入力画像の輝度むらを補正する画像補正方法であって、
フラットパターン生成部が、均一な階調の画像データからなるグレーのフラットパターンの画像を生成するステップと、
ヴィネッティングパターン生成部が、前記液晶ディスプレイのパネルの輝度特性を反転させた反転輝度特性の画像データからなるヴィネッティングパターンの画像を生成するステップと、
表示制御部が、前記フラットパターンの画像と前記ヴィネッティングパターンの画像とが合成されたパターン画像を前記液晶ディスプレイに表示させるように制御するステップと、
カメラが、前記液晶ディスプレイに表示されたパターン画像を撮影して撮影画像の画像データを生成するステップと、
補正データ算出部が、前記カメラにより生成された撮影画像の画像データの輝度値に基づいて、前記入力画像の輝度むらを補正するための補正データを算出するステップと、
補正データ格納部が、前記補正データ算出部により算出された補正データを格納するステップと、
画像補正部が、前記補正データ格納部に格納された補正データを用いて、前記入力画像の輝度むらを補正するステップとを含むことを特徴とする画像補正方法を提供する。
【発明の効果】
【００２８】
本発明では、フラットパターンの画像とヴィネッティングパターンの画像とが合成されたパターン画像を使って補正データを算出する。これにより、本発明によれば、入力画像の輝度むらを補正するための補正量が少なくなるため、１回の画像撮影で十分な補正精度を得ることができ、補正データの生成を従来例よりも早く収束させることができる。そのため、タクトタイムを短縮し、生産効率を向上させることができる。
【図面の簡単な説明】
【００２９】
【図１】本発明の画像補正システムの構成を表す一実施形態の概念図である。
【図２】図１に示す画像補正装置の構成を表す一例のブロック図である。
【図３】（Ａ）は、液晶ディスプレイに表示された画像を表す一例の概念図、（Ｂ）は、（Ａ）に示す液晶ディスプレイの輝度特性を表す一例のグラフである。
【図４】ヴィネッティングパターンの画像データを表す一例のグラフである。
【図５】図１に示す画像補正システムの動作を表す一例のフローチャートである。
【図６】画像補正装置の第１の構成例を表すブロック図である。
【図７】画像補正装置の第２の構成例を表すブロック図である。
【図８】画像補正装置の第３の構成例を表すブロック図である。
【図９】画像補正装置の第４の構成例を表すブロック図である。
【図１０】画像補正装置の第５の構成例を表すブロック図である。
【発明を実施するための形態】
【００３０】
以下に、添付の図面に示す好適実施形態に基づいて、本発明の補正データ生成方法、画像補正装置および画像補正方法、ならびに、画像補正システムを詳細に説明する。
【００３１】
図１は、本発明の画像補正システムの構成を表す一実施形態の概念図である。同図に示す画像補正システム１０は、液晶ディスプレイ１２に入力される入力画像の輝度むらを補正するための補正データを生成し、生成された補正データを用いて、入力画像の輝度むらを補正するものであり、カメラ１４と、制御装置１６と、補正データ算出部２６と、画像補正装置１８とによって構成されている。
【００３２】
カメラ１４は、液晶ディスプレイ１２に表示されたパターン画像を撮影して撮影画像の画像データを生成するものである。
カメラ１４は、手動でパターン画像を撮影するものであってもよいし、制御装置１６から入力される撮影指示に従って、パターン画像を撮影するものであってもよい。
【００３３】
制御装置１６は、例えば、パーソナルコンピュータ等により構成され、液晶ディスプレイ１２を製品として出荷する前に、補正データを生成する場合に、画像補正装置１８の動作を制御するものである。
制御装置１６は、補正データを生成する場合に、カメラ１４により生成された撮影画像の画像データを取得して画像補正装置１８に入力したり、グレーのフラットパターンの画像の画像データの階調を指定する指示、パターン画像を液晶ディスプレイ１２に表示させる指示を含む各種の指示を画像補正装置１８と補正データ算出部２６に与えたりする。
【００３４】
補正データ算出部２６は、制御装置１６から入力されるカメラの撮影画像の画像データの輝度値に基づいて、入力画像の輝度むらを補正するための補正データを算出するものである。
補正データ算出部２６は、均一な階調の画像データからなる１画面分のグレーのフラットパターンの画像が液晶ディスプレイ１２に表示された場合に、液晶ディスプレイ１２に表示された表示画像の輝度値が均一になるように補正する補正データを、撮影画像の画像データの輝度値から算出することができる。
【００３５】
なお、補正データ算出部２６は、例えば、制御装置１６により実行されるソフトウェア等により実現することもできる。
【００３６】
画像補正装置１８は、液晶ディスプレイ１２に内蔵されるものであり、図２に示すように、フラットパターン生成部２０と、ヴィネッティングパターン生成部２２と、表示制御部２４と、補正データ格納部２８と、画像補正部３０とを備えている。
ここで、ヴィネッティングパターン生成部２２、表示制御部２４は、補正データを生成するための画像（パターン画像）を液晶ディスプレイ１２に表示させる本発明の画像表示装置を構成する。
【００３７】
なお、ヴィネッティングパターン生成部２２を液晶ディスプレイ１２に内蔵することは必須ではなく、例えば、制御装置１６により実行されるソフトウェア等により実現し、ヴィネッティングパターンの画像の画像データを制御装置１６から画像補正装置１８に入力する構成とすることもできる。
【００３８】
フラットパターン生成部２０は、制御装置１６から与えられる指示に対応する、均一な階調の画像データからなるグレーのフラットパターンの画像を生成するものである。
【００３９】
ヴィネッティングパターン生成部２２は、液晶ディスプレイ１２のパネルの輝度特性を反転させた反転輝度特性の画像データからなるヴィネッティングパターンの画像を生成するものである。
ヴィネッティングパターンの画像の画像データは、液晶ディスプレイ１２のパネルの輝度特性の反転輝度特性に応じて、液晶ディスプレイ１２の中央部における画像データと周辺部における画像データとが異なるものである。
フラットパターンの画像とヴィネッティングパターンの画像とが合成されてパターン画像が生成される。
【００４０】
図３（Ａ）は、液晶ディスプレイに表示された画像を表す一例の概念図、同図（Ｂ）は、同図（Ａ）に示す液晶ディスプレイの輝度特性を表す一例のグラフである。同図（Ａ）は、均一な階調グレー２５の画像データからなるグレーのフラットパターンの画像を液晶ディスプレイ１２に表示させた場合の表示画面を表したものである。同図（Ｂ）は、同図（Ａ）に示す表示画面の水平方向の画素位置１〜３８４０における輝度値を表したものである。
【００４１】
この液晶ディスプレイ１２に表示されたフラットパターンの画像は、同図（Ａ）に示すように、パネルの中央部が最も暗く、中央部から左右の部分に向かうに従って、次第に明るくなっている。つまり、この液晶ディスプレイ１２は、同図（Ｂ）に示すように、パネルの中央部の輝度値が最も低く、中央部から左右の部分に向かうに従って、輝度値が次第に大きくなる輝度特性を有するものである。
【００４２】
図４は、ヴィネッティングパターンの画像データを表す一例のグラフである。同図は、均一な階調グレー２５の画像データからなるグレーのフラットパターンの画像と、図３（Ａ）および（Ｂ）に示す輝度特性を有する液晶ディスプレイ１２の輝度特性を反転させた反転輝度特性を表す画像データからなるヴィネッティングパターンの画像とが合成されたパターン画像の水平方向の画像データを表したものである。
【００４３】
図４のグラフに示すように、図３（Ｂ）に示す輝度特性を有する液晶ディスプレイ１２の場合、ヴィネッティングパターンの画像は、フラットパターンの画像の階調グレー２５を中心として、図３（Ｂ）に示す輝度特性を上下方向に反転させた反転輝度特性を有するものとなる。
【００４４】
なお、液晶ディスプレイ１２の中には、上記例に限らず、パネルの中央部の輝度値が最も高く、中央部から周辺部、つまり、左右の部分や上下の部分に向かうに従って、輝度値が次第に小さくなる輝度特性を有するものもある。
【００４５】
液晶ディスプレイ１２の輝度特性は、その駆動方式、機種、パネルサイズ等によって異なる。例えば、液晶ディスプレイ１２の駆動方式がＶＡ（Vertical Alignment）方式の場合、中央部よりも周辺部の方が明るくなる輝度むらが発生する傾向があるのに対して、ＴＮ（Twisted Nematic）方式などの場合、中央部よりも周辺部の方が暗くなる輝度むらが発生する場合がある。
【００４６】
また、同じ駆動方式、同じ機種、同じパネルサイズの液晶ディスプレイ１２であっても、生産工場（製造設備）が違うなどの理由で輝度特性が異なる場合がある。従って、液晶ディスプレイ１２の輝度特性の要因となる要素、つまり、駆動方式、機種、パネルサイズおよび生産工場のうちの少なくとも１つに応じて、ヴィネッティングパターンの画像の反転輝度特性を変更することが望ましい。
【００４７】
ヴィネッティングパターンの画像は、液晶ディスプレイ１２のパネルの画素に対応する画像データが１画素毎に設定されたものでもよいし、あるいは、３２画素毎のように、一定の画素毎に設定され、その間の画像データを補間して算出してもよい。
【００４８】
また、液晶ディスプレイ１２の中央部と左右の部分との間に輝度むらがある場合、ヴィネッティングパターンの画像は、液晶ディスプレイ１２のパネルの１ライン分の画素の画像データであってもよい。この場合、液晶ディスプレイ１２のパネルの全てのラインについて、同じヴィネッティングパターンの画像の１ライン分の画像データをコピーして使用する。従って、液晶ディスプレイ１２のパネルの上下方向は同じ画像データとなる。
【００４９】
一方、液晶ディスプレイ１２の中央部と上下の部分との間に輝度むらがある場合、ヴィネッティングパターンの画像は、液晶ディスプレイ１２のパネルの１カラム分の画素の画像データであってもよい。この場合、液晶ディスプレイ１２のパネルの全てのカラムについて、同じヴィネッティングパターンの画像の１カラム分の画像データをコピーして使用する。従って、液晶ディスプレイ１２のパネルの左右方向は同じ画像データとなる。
【００５０】
また、１ライン分または１カラム分の画像データを使用する場合、ヴィネッティングパターンの画像の反転輝度特性のグラフで表される関数を近似する近似式、例えば、２次式および４次式を組み合わせた近似式により算出することもできる。
【００５１】
例えば、横３８４０画素×縦２１６０画素のパネルを有する液晶ディスプレイ１２の場合、パネルの水平方向の画素のアドレスをH_pixel_addとすると、その値は１から３８４０となる。また、中央の位置の画素の画像データをC_Signal、２次式の係数をX2、４次式の係数をX4とすると、例えば、水平方向の各々の画素位置におけるヴィネッティングパターンの画像の画像データは、X2*((H_pixel_add-1920)/1920)^2+X4*((H_pixel_add-1920)/1920)^4+C_Signalで算出することができる。
【００５２】
続いて、表示制御部２４は、制御装置１６から与えられる指示に従って、補正データを生成する場合、フラットパターンの画像とヴィネッティングパターンの画像とが合成されたパターン画像を液晶ディスプレイ１２に表示させるように制御するものである。
また、表示制御部２４は、入力画像を補正する場合、補正データを用いて、輝度むらが補正された入力画像を液晶ディスプレイ１２に表示させるように制御する。
【００５３】
補正データ格納部２８は、補正データ算出部２６により算出された補正データを格納するものである。
【００５４】
画像補正部３０は、補正データ格納部２８に格納された補正データを用いて、入力画像の輝度むらを補正するものである。
【００５５】
次に、図５に示すフローチャートを参照しながら、画像補正システム１０の動作を説明する。
【００５６】
まず、補正データを生成するために、グレーのフラットパターンの画像の画像データの階調を指定する指示が、制御装置１６から画像補正装置１８に与えられる。
これに応じて、フラットパターン生成部２０により、制御装置１６から与えられた指示に対応する、均一な階調の画像データからなるグレーのフラットパターンの画像が生成される（ステップＳ１）。
【００５７】
また、ヴィネッティングパターン生成部２２により、液晶ディスプレイ１２の輝度特性を反転させた反転輝度特性の画像データからなるヴィネッティングパターンの画像が生成される（ステップＳ２）。
【００５８】
続いて、パターン画像を液晶ディスプレイ１２に表示させる指示が、制御装置１６から画像補正装置１８に与えられる。
これに応じて、表示制御部２４の制御により、フラットパターンの画像とヴィネッティングパターンの画像とが合成されたパターン画像が液晶ディスプレイ１２に表示される（ステップＳ３）。
【００５９】
続いて、液晶ディスプレイ１２に表示されたパターン画像がカメラ１４により撮影されて撮影画像の画像データが生成される（ステップＳ４）。撮影画像の画像データは、制御装置１６により取得される（ステップＳ５）。
【００６０】
続いて、撮影画像の画像データが、制御装置１６から補正データ算出部２６に入力される。
これに応じて、補正データ算出部２６により、撮影画像の画像データの輝度値に基づいて、補正データが算出される（ステップＳ６）。補正データ算出部２６により算出された補正データは、補正データ格納部２８に格納される（ステップＳ７）。
【００６１】
補正データが補正データ格納部２８に格納されると、液晶ディスプレイ１２は、補正データ算出部２６と、制御装置１６と切り離され、製品として出荷可能な状態となる。
【００６２】
続いて、入力画像を液晶ディスプレイ１２に表示する場合、画像補正部３０により、補正データ格納部２８に格納された補正データを用いて、入力画像の輝度むらが補正される（ステップＳ８）。
そして、画像補正部３０により輝度むらが補正された入力画像が液晶ディスプレイ１２に表示される（ステップＳ９）。
【００６３】
液晶ディスプレイ１２では、明るさ（入力画像の画像データの値）により輝度むらの形状が変化するため、入力画像の画像データの一定範囲の階調毎に補正データを算出して使用してもよい。
【００６４】
この場合、ヴィネッティングパターン生成部２２により、入力画像の画像データの一定範囲の階調毎に対応するヴィネッティングパターンの画像が生成される。
【００６５】
続いて、表示制御部２４により、一定範囲の階調毎に対応するパターン画像が液晶ディスプレイ１２に順次表示される。
【００６６】
続いて、カメラ１４により、液晶ディスプレイ１２に表示された、一定範囲の階調毎に対応するパターン画像が順次撮影されて撮影画像の画像データが生成される。一定範囲の階調毎に対応する撮影画像の画像データは、制御装置１６により取得される。
【００６７】
続いて、補正データ算出部２６により、一定範囲の階調毎に対応する撮影画像の画像データの輝度値に基づいて、一定範囲の階調毎に対応する補正データが算出される。一定範囲の階調毎に対応する補正データは、補正データ格納部２８に格納される。
【００６８】
入力画像を液晶ディスプレイ１２に表示する場合、画像補正部３０により、補正データ格納部２８に格納された、入力画像の画像データの階調に対応する補正データを用いて、入力画像の輝度むらが補正される。
【００６９】
次に、画像補正装置１８の構成例について説明する。
【００７０】
図６〜図１０は、それぞれ、画像補正装置の第１〜第５の構成例を表すブロック図である。これらの図に示す画像補正装置１８Ａ、１８Ｂ、１８Ｃ、１８Ｄ、１８Ｅには、液晶ディスプレイ１２が備えるガンマ補正回路３４、および、フレームレート制御回路３６が示されている。
【００７１】
図６に示す画像補正装置１８Ａでは、パターン画像を液晶ディスプレイ１２に表示させる場合、補正データ格納部２８には、輝度むらが補正されない補正データが格納されている。言い換えると、補正データを生成する前の初期状態において、補正データ格納部２８には、入力画像の輝度むらを補正するための補正データは格納されておらず、輝度むらが補正されない補正データが格納されている。
画像補正装置１８Ａでは、選択部３８の制御により、フラットパターンの画像とヴィネッティングパターンの画像とが合成されたパターン画像が画像補正部３０に入力される。
従って、画像補正部３０では、補正データ格納部２８に格納された、輝度むらが補正されない補正データを用いて、パターン画像の輝度むらが補正されない。つまり、画像補正部３０からはパターン画像がそのまま出力される。
画像補正部３０から出力されたパターン画像は、ガンマ補正回路３４により、ガンマ補正等の画像処理が施された後、フレームレート制御回路３６により、フレームレート制御が行われて液晶ディスプレイ１２に表示される。
【００７２】
一方、入力画像を液晶ディスプレイ１２に表示させる場合、補正データ格納部２８には、入力画像の輝度むらを補正するための補正データが格納されている。
画像補正装置１８Ａでは、選択部３８の制御により、入力画像が画像補正部３０に入力される。
続いて、画像補正部３０により、補正データ格納部２８に格納された、入力画像の輝度むらを補正するための補正データを用いて、入力画像の輝度むらが補正され、同様に、液晶ディスプレイ１２に表示される。
なお、パターン画像および入力画像を液晶ディスプレイ１２に表示させる制御は、表示制御部２４により行われる。
【００７３】
続いて、図７に示す画像補正装置１８Ｂでは、パターン画像を液晶ディスプレイ１２に表示させる場合、補正データ格納部２８には、輝度むらが補正されない補正データが格納されている。
画像補正装置１８Ｂでは、選択部３８の制御により、フラットパターンの画像が画像補正部３０に入力される。
従って、画像補正部３０では、補正データ格納部２８に格納された、輝度むらが補正されない補正データを用いて、フラットパターンの画像の輝度むらが補正されない。つまり、画像補正部３０からはフラットパターンの画像がそのまま出力される。
続いて、画像補正部３０から出力されたフラットパターンの画像と、ヴィネッティングパターンの画像とが合成されてパターン画像が生成され、同様に、液晶ディスプレイ１２に表示される。
【００７４】
一方、入力画像を液晶ディスプレイ１２に表示させる場合、補正データ格納部２８には、入力画像の輝度むらを補正するための補正データが格納されている。
画像補正装置１８Ｂでは、選択部３８の制御により、入力画像が画像補正部３０に入力される。
従って、画像補正部３０では、補正データ格納部２８に格納された、入力画像の輝度むらを補正するための補正データを用いて、入力画像の輝度むらが補正される。
輝度むらが補正された入力画像は、ヴィネッティングパターン生成部２２をバイパスして出力され、同様に、液晶ディスプレイ１２に表示される。
【００７５】
続いて、図８に示す画像補正装置１８Ｃでは、ヴィネッティングパターンの画像を液晶ディスプレイに表示させる場合、ヴィネッティングパターンの画像の画像データが画像補正部３０に入力される。また、選択部３８の制御により、フラットパターンの画像が画像補正部３０に入力される。
従って、画像補正部３０では、ヴィネッティングパターンの画像の画像データを用いて、フラットパターンの画像とヴィネッティングパターンの画像とが合成されてパターン画像が生成され、同様に、液晶ディスプレイ１２に表示される。
【００７６】
一方、液晶ディスプレイ１２に画像を表示する場合の動作は、画像補正装置１８Ａの場合と同じである。
【００７７】
続いて、図９に示す画像補正装置１８Ｄでは、ヴィネッティングパターンの画像を液晶ディスプレイに表示させる場合、画像補正装置１８の外部、つまり、制御装置１６から入力される、ヴィネッティングパターンの画像の画像データが画像補正部３０に入力される。また、選択部３８の制御により、フラットパターンの画像が画像補正部３０に入力される。
これ以後の動作は、画像補正装置１８Ｃの場合と同じである。
【００７８】
一方、液晶ディスプレイ１２に画像を表示する場合の動作は、画像補正装置１８Ａの場合と同じである。
【００７９】
最後に、図１０に示す画像補正装置１８Ｅでは、パターン画像を液晶ディスプレイ１２に表示させる場合、データ複製部４０により、画像補正装置１８の外部、つまり、制御装置１６から入力される、ヴィネッティングパターンの画像の１ラインまたは１カラムの画素に対応する画像データを、全てのラインまたは全てのカラムにコピーしてヴィネッティングパターンの画像の画像データが画像補正部３０に入力される。また、選択部３８の制御により、フラットパターンの画像が画像補正部３０に入力される。
これ以後の動作は、画像補正装置１８Ｃの場合と同じである。
【００８０】
一方、液晶ディスプレイ１２に画像を表示する場合の動作は、画像補正装置１８Ａの場合と同じである。
【００８１】
画像補正装置１８Ａ、１８Ｂ、１８Ｃのように、ヴィネッティングパターン生成部２２を液晶ディスプレイ１２に内蔵することにより、画像補正装置１８の内部でヴィネッティングパターンの画像を生成することができるため、画像補正装置１８Ｄ、１８Ｅのように、ヴィネッティングパターンの画像の画像データを制御装置１６から画像補正装置１８に入力する必要がなく、より高速に補正データを生成することができるという利点がある。
【００８２】
従来例の場合と同様に、本実施形態の画像補正システム１０を、図３（Ｂ）に示すように、パネルの中央部の輝度値が低く、パネルの中央部から左右の部分に向かうに従って、輝度値が次第に大きくなる輝度特性を有する液晶ディスプレイに対して適用し、均一な階調グレー２５の画像データからなる１画面分のグレーのフラットパターンの画像と、図４に示すような、液晶ディスプレイ１２の輝度特性を反転させた反転輝度特性の画像データからなるヴィネッティングパターンの画像とが合成されたパターン画像を液晶ディスプレイに表示させた場合を考える。
【００８３】
この場合、従来例と比べると、液晶ディスプレイのパネルの中央部のカメラでの検出値は同一の１５２であるが、ヴィネッティングパターンの画像は、中央部から左右の部分に向かうに従って輝度値が次第に低くなるため、左右の部分のカメラでの検出値は、それぞれ、従来例よりも小さい１１３および１４７となる。液晶ディスプレイに表示されたグレーの画像の輝度むらを低減するための左右の部分の補正後の目標値が、同様に、それぞれ、１２２および１３４であるとすると、その補正量は、それぞれ、−９および１３となり、従来例と比べて、補正量が７〜８分の１に減少することが分かる。
【００８４】
また、本実施形態の画像補正システム１０の場合、パターン画像を液晶ディスプレイ１２に表示させた場合の画面全体の明るさの変化が少ないため、カメラ１４による撮影がしやすいという利点がある。
【００８５】
また、本実施形態の画像補正システム１０の場合、補正量が少ないため、補正データの生成を従来例よりも早く収束させることができる。例えば、従来例の場合、補正データの生成を収束させるまでに、画像撮影を、２回または３回、繰り返し行う必要がある場合があったが、本実施形態の画像補正システム１０の場合、補正量が少ないため、１回の画像撮影で十分な補正精度が得られ、補正データの生成を早く収束させることができるため、タクトタイムを短縮し、生産効率を向上させることができる。
【００８６】
なお、フラットパターン生成部２０、ヴィネッティングパターン生成部２２、表示制御部２４、補正データ算出部２６、補正データ格納部２８、画像補正部３０、選択部３８、データ複製部４０等の具体的な構成は何ら限定されず、同様の機能を果たすことができる各種構成の回路を使用することができる。
【００８７】
本発明は、基本的に以上のようなものである。
以上、本発明について詳細に説明したが、本発明は上記実施形態に限定されず、本発明の主旨を逸脱しない範囲において、種々の改良や変更をしてもよいのはもちろんである。
【符号の説明】
【００８８】
１０  画像補正システム
１２  液晶ディスプレイ
１４  カメラ
１６  制御装置
１８  画像補正装置
２０  フラットパターン生成部
２２  ヴィネッティングパターン生成部
２４  表示制御部
２６  補正データ算出部
２８  補正データ格納部
３０  画像補正部
３４  ガンマ補正回路
３６  フレームレート制御回路
３８  選択部
４０  データ複製部
【図１】
0006588700.tif 000002
【図２】
0006588700.tif 000003
【図３】
0006588700.tif 000004
【図４】
0006588700.tif 000005
【図５】
0006588700.tif 000006
【図６】
0006588700.tif 000007
【図７】
0006588700.tif 000008
【図８】
0006588700.tif 000009
【図９】
0006588700.tif 000010
【図１０】
0006588700.tif 000011